【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
表示面に画像を表示すると共に検出光を発光する複数の発光セルおよび前記表示面側から入射した前記検出光を受光する複数の受光セルを有するパネル部と、
初期データおよび検出データを記憶する記憶部と、
前記検出光が前記表示面から出力されている第１の期間に前記複数の受光セルから得られた第１の受光画像と、前記検出光が前記表示面から出力されていない第２の期間に前記複数の受光セルから得られた第２の受光画像とに基づいて判定用画像を生成する画像生成部と、
前記判定用画像に検出対象物の像が含まれているか否かを判定し、前記判定用画像に検出対象物の像が含まれていないと判定した場合には、前記判定用画像に対応するデータを前記初期データとして前記記憶部に記憶させ、前記判定用画像に検出対象物の像が含まれていると判定した場合には、前記判定用画像に対応するデータを前記検出データとして前記記憶部に記憶させる画像判定部と、
前記記憶部に前記検出データとして記憶された画像と、前記記憶部に前記初期データとして記憶された画像とに基づいて、検出対象物の位置を導出する位置導出部と
を備えた表示装置。
【請求項２】
前記画像生成部は、前記第１の受光画像の各画素データと前記第２の受光画像の各画素データとの差分をとることにより前記判定用画像を生成する
請求項１に記載の表示装置。
【請求項３】
前記画像生成部は、前記第２の受光画像から第１反転画像および移動平均画像を生成すると共に、前記移動平均画像から第２反転画像および所定の閾値を生成したのち、前記第１反転画像と前記第２反転画像との差分から差分画像を生成し、その差分画像の各画素データから前記閾値を減じることにより前記判定用画像を生成する
請求項１に記載の表示装置。
【請求項４】
前記画像生成部は、
前記第１の受光画像の各画素データと前記第２の受光画像の各画素データとの差分から第１差分画像を生成する差分画像生成部と、
前記第２の受光画像から第１反転画像および移動平均画像を生成すると共に、前記移動平均画像から第２反転画像および所定の閾値を生成したのち、前記第１反転画像と前記第２反転画像との差分から第２差分画像を生成し、その第２差分画像の各画素データから前記閾値を減じることにより影画像を生成する影画像生成部と、
前記第１差分画像と前記影画像とを所定のルールで合成することにより前記判定用画像を生成する合成画像生成部と
を有する請求項１に記載の表示装置。
【請求項５】
前記画像判定部は、前記判定用画像の各画素データ内に所定の閾値を超える値を有する画素領域が存在するか否かを検出し、前記画素領域が検出された場合には、前記画素領域の大きさと、検出対象物の像として予想される大きさとを互いに対比することにより、前記判定用画像に検出対象物の像が含まれているか否かを判定する
請求項１ないし請求項４のいずれか一項に記載の表示装置。
【請求項６】
前記画像判定部は、前記判定用画像に検出対称物の像が含まれていないと判定した場合に、前記記憶部に既に所定の画像が前記初期データとして格納されている場合は、前記判定用画像をそのまま、または前記判定用画像に対して所定の処理を施したものを前記初期データとして前記記憶部に上書きするか、または、前記初期データとして前記記憶部に既に格納されている画像と、前記判定用画像とを所定のルールで合成することにより得られる合成画像を前記初期データとして前記記憶部に上書きする
請求項１ないし請求項５のいずれか一項に記載の表示装置。
【請求項７】
前記位置導出部は、前記記憶部に前記検出データとして記憶された画像と、前記記憶部に前記初期データとして記憶された画像との差分から検出対象物の位置を導出する
請求項１ないし請求項６のいずれか一項に記載の表示装置。
【請求項８】
前記第１の期間は前記表示面に画像を表示させている表示期間であり、前記第２の期間は前記表示面に画像を表示させていない非表示期間であり、前記検出光は画像を表示させるための表示光である
請求項１ないし請求項７のいずれか一項に記載の表示装置。
【請求項９】
前記複数の発光セルは前記表示面に画像を表示させるための可視光と共に、前記検出光として非可視光を前記表示面から発光する
請求項１ないし請求項８のいずれか一項に記載の表示装置。
【請求項１０】
前記パネル部は、互いに対向する透明基板の間に液晶層を設けた液晶表示パネルであり、
前記非可視光は赤外光である
請求項９に記載の表示装置。
【請求項１１】
前記パネル部は、互いに対向する透明基板の間に液晶層を設けた液晶表示パネルである
請求項１ないし請求項１０のいずれか一項に記載の表示装置。
【請求項１２】
前記パネル部は、互いに対向する透明基板の間に有機層を設けた有機発光パネルである
請求項１ないし請求項１０のいずれか一項に記載の表示装置。
【請求項１３】
表示面に画像を表示すると共に検出光を発光する複数の発光セルおよび前記表示面側から入射した前記検出光を受光する複数の受光セルを有するパネル部と、初期データおよび検出データを記憶する記憶部とを備えた表示装置において検出対象物の位置を検出する方法であって、
前記検出光が前記表示面から出力されている第１の期間に前記複数の受光セルから得られた第１の受光画像と、前記検出光が前記表示面から出力されていない第２の期間に前記複数の受光セルから得られた第２の受光画像とに基づいて判定用画像を生成する画像生成ステップと、
前記判定用画像に検出対象物の像が含まれているか否かを判定し、前記判定用画像に検出対象物の像が含まれていないと判定した場合には、前記判定用画像に対応するデータを前記初期データとして前記記憶部に記憶させ、前記判定用画像に検出対象物の像が含まれていると判定した場合には、前記判定用画像に対応するデータを前記検出データとして前記記憶部に記憶させる画像判定ステップと、
前記記憶部に前記検出データとして記憶された画像と、前記記憶部に前記初期データとして記憶された画像とに基づいて、検出対象物の位置を導出する位置導出ステップと
を含む位置検出方法。
【手続補正２】
【補正対象書類名】明細書
【補正対象項目名】００１０
【補正方法】変更
【補正の内容】
【００１０】
本発明の表示装置は、表示面に画像を表示すると共に検出光を発光する複数の発光セルおよび表示面側から入射した検出光を受光する複数の受光セルを有するパネル部と、初期データおよび検出データを記憶する記憶部とを備えている。この表示装置は、さらに、検出光が表示面から出力されている第１の期間に複数の受光セルから得られた第１の受光画像と、検出光が表示面から出力されていない第２の期間に複数の受光セルから得られた第２の受光画像とに対して所定の信号処理を行う画像生成部、画像判定部および位置導出部を備えている。画像生成部は、第１の受光画像と第２の受光画像とに基づいて判定用画像を生成するようになっている。画像判定部は、判定用画像に検出対象物の像が含まれているか否かを判定し、判定用画像に検出対象物の像が含まれていないと判定した場合には、判定用画像に対応するデータを初期データとして記憶部に記憶させ、判定用画像に検出対象物の像が含まれていると判定した場合には、判定用画像に対応するデータを検出データとして記憶部に記憶させるようになっている。また、位置導出部は、記憶部に検出データとして記憶された画像と、記憶部に初期データとして記憶された画像とに基づいて、検出対象物の位置を導出するようになっている。
【手続補正３】
【補正対象書類名】明細書
【補正対象項目名】００１１
【補正方法】変更
【補正の内容】
【００１１】
本発明の位置検出方法は、表示面に画像を表示すると共に検出光を発光する複数の発光セルおよび表示面側から入射した検出光を受光する複数の受光セルを有するパネル部と、初期データおよび検出データを記憶する記憶部とを備えた表示装置において、検出対象物の位置を検出するものである。この位置検出方法は、以下の（Ａ）〜（Ｃ）の各ステップを含んでいる。
（Ａ）検出光が表示面から出力されている第１の期間に複数の受光セルから得られた第１の受光画像と、検出光が前記表示面から出力されていない第２の期間に複数の受光セルから得られた第２の受光画像とに基づいて判定用画像を生成する画像生成ステップ
（Ｂ）判定用画像に検出対象物の像が含まれているか否かを判定し、判定用画像に検出対象物の像が含まれていないと判定した場合には、判定用画像に対応するデータを初期データとして記憶部に記憶させ、判定用画像に検出対象物の像が含まれていると判定した場合には、判定用画像に対応するデータを検出データとして記憶部に記憶させる画像判定ステップ
（Ｃ）記憶部に検出データとして記憶された画像と、記憶部に初期データとして記憶された画像とに基づいて、検出対象物の位置を導出する位置導出ステップ
【手続補正４】
【補正対象書類名】明細書
【補正対象項目名】００１２
【補正方法】変更
【補正の内容】
【００１２】
本発明の表示装置および位置検出方法では、検出光が表示面から出力されている第１の期間に得られた第１の受光画像と、検出光が表示面から出力されていない第２の期間に得られた第２の受光画像とに基づいて生成された判定用画像、または、この判定用画像に対して所定の処理を施したものが、検出対象物の位置の導出に用いられる。これにより、物体の位置などを検出する時の外光の影響をなくすることができる。また、検出対象物の像が含まれていないと判定された判定用画像、または、この判定用画像に対して所定の処理を施したものが初期データとして用いられる。これにより、物体の位置などを検出する時に表示装置内で発生しているノイズの影響をなくすることができる。
【手続補正５】
【補正対象書類名】明細書
【補正対象項目名】００１３
【補正方法】変更
【補正の内容】
【００１３】
本発明の表示装置および位置検出方法によれば、検出光が表示面から出力されている第１の期間に得られた第１の受光画像と、検出光が表示面から出力されていない第２の期間に得られた第２の受光画像とに基づいて生成された判定用画像、または、この判定用画像に対して所定の処理を施したものを検出対象物の位置の導出に用いるようにしたので、物体の位置などを検出する時の外光の影響をなくすることができる。これにより、周囲の環境（明るさ）が変化した場合であっても、周囲の環境に拘わらず、表示装置の表示面に接触あるいは近接する物体の位置などを容易に検出することができる。さらに、この判定用画像、または、この判定用画像に対して所定の処理を施したものを初期データとして用いるようにしたので、物体の位置などを検出する時に表示装置内で発生しているノイズの影響をなくすることができる。これにより、表示装置内で発生するノイズが表示装置を使用する環境の変化や、経時変化などによって変化した場合であっても、表示装置のユーザに何らかの操作を要求することなく、表示装置内で発生するノイズ成分を自動的に、かつ効果的に除去することができる。その結果、表示装置の表示面に接触あるいは近接する物体の位置などを精度よく検出することができる。